(57)【要約】無線通信ネットワークは、複数の端末と、無線ダウンリンク上で前記複数の端末の各々にデータを送信し、無線アップリンク上で前記複数の端末の各々からデータを受信する少なくとも１つの基地局とを有する。前記端末の１つは前記基地局にレート要求を送信する。前記レート要求は前記端末の無線アップリンク上のデータ・レートを変更するよう要求する。前記基地局は、前記レート要求に応答して、前記端末にレート許可を送信する。前記レート許可は前記端末が無線アップリンク上のデータ・レートを変更できるか否かを示す。【特許請求の範囲】
【請求項１】
無線ダウンリンクで基地局から端末へデータを送信し、無線アップリンクで前記端末から前記基地局へデータを送信する無線アクセス・ネットワークを含む無線通信システムにおいて、
前記端末が前記基地局からの別のレート許可なしに使用できる前記無線アップリンク上のデータ・レートの上限を指定する第１のしきい値を受信し、
無線アップリンク上で、前記無線アップリンク上のデータ・レートを第２のしきい値の限度内で変更することを要求するレート要求を前記端末から前記基地局に送信し、
前記基地局から受信したレート許可であって、前記無線アップリンク上の前記データ・レートが前記レート要求で要求されるように変更できるか否かを示す前記レート許可に応答して、前記レート許可に従って前記無線アップリンク上のデータ・レートを変更するように適合されたことを特徴とする端末。
【請求項２】
前記端末が無線アップリンクでデータと共に前記レート要求を送信することを特徴とする、請求項１に記載の端末。
【請求項３】
前記端末が前記無線ダウンリンクで前記基地局から前記レート許可を受信することを特徴とする、請求項１に記載の端末。
【請求項４】
前記端末が周期的に前記レート要求を送信することを特徴とする、請求項１に記載の端末。
【請求項５】
前記端末がＴＴＩごとに前記レート要求を送信することを特徴とする、請求項４に記載の端末。
【請求項６】
前記端末が、前記端末内にイベント発生があると前記レート要求を送信することを特徴とする、請求項１に記載の端末。
【請求項７】
前記端末の送信バッファが指定の限度を超えると前記端末が前記レート要求を送信することを特徴とする、請求項６に記載の端末。
【請求項８】
前記レート要求が、前記無線アップリンク上のデータ・レートを増加させるよう要求し、前記基地局から受信したレート許可であって、前記無線アップリンク上の前記データ・レートが前記レート要求で要求されるように増加できることを示すレート許可に応答して、前記レート許可に従って前記無線アップリンク上の前記データ・レートを増加させることを特徴とする、請求項１に記載の端末。
【請求項９】
前記端末が、前記基地局からの別のレート許可なしに、前記第１のしきい値によって規定される前記無線アップリンク上のデータ・レートの前記上限より大きいデータ・レートから、前記無線アップリンク上のデータ・レートを減少させることができることを特徴とする、請求項８に記載の端末。
【請求項１０】
前記端末が前記基地局からＲＲＣシグナリングでパラメータまたは他の情報を受信し、前記パラメータまたは他の情報が前記第１のしきい値を示すことを特徴とする、請求項１に記載の端末。
【請求項１１】
前記端末と前記基地局との間の前記エア・インタフェースが広帯域符号分割多元接続（ＷＣＤＭＡ）であることを特徴とする、請求項１に記載の端末。
【請求項１２】
無線通信ネットワークであって、
複数の端末と、
無線ダウンリンク上で前記複数の端末の各々にデータを送信し、無線アップリンク上で前記複数の端末の各々からデータを受信する少なくとも１つの基地局とを備え、
前記複数の端末の少なくとも１つが前記基地局にレート要求を送信し、前記レート要求は無線アップリンク上のデータ・レートを変更することを要求し、
前記基地局が、前記複数の端末の前記少なくとも１つからの前記レート要求に応答して、前記複数の端末の前記少なくとも１つにレート許可を送信し、前記レート許可が、前記複数の端末の前記少なくとも１つが無線アップリンク上のデータ・レートを変更できるか否かを示すことを特徴とする無線通信ネットワーク。
【請求項１３】
前記複数の端末の前記少なくとも１つが前記無線アップリンクでデータと共にレート要求を送信することを特徴とする、請求項１２に記載の無線通信ネットワーク。
【請求項１４】
前記基地局が前記無線ダウンリンクで前記レート許可を送信することを特徴とする、請求項１２に記載の無線通信ネットワーク。
【請求項１５】
前記基地局によって送信される前記レート許可が前記基地局で受信する干渉状態に依存することを特徴とする、請求項１２に記載の無線通信ネットワーク。
【請求項１６】
前記基地局によって送信される前記レート許可が、基地局で導出および／または測定されるトラフィック・メトリクスに依存することを特徴とする、請求項１２に記載の無線通信ネットワーク。
【請求項１７】
前記ネットワークが基地局制御装置をさらに備え、前記基地局によって送信される前記レート許可が、前記基地局制御装置から前記基地局に送信されるトラフィック・メトリクスに依存することを特徴とする、請求項１２に記載の無線通信ネットワーク。
【請求項１８】
前記レート要求が前記無線アップリンク上のデータ・レートを増加させるよう要求し、前記基地局から受信するレート許可に応答して、前記無線アップリンク上の前記データ・レートが前記レート要求で要求されるように増加できることを示す前記レート許可が、前記レート許可に従って前記無線アップリンク上の前記データ・レートを増加させることを特徴とする、請求項１２に記載の無線通信ネットワーク。
【請求項１９】
前記基地局からの別のレート許可なしに、前記端末が前記無線アップリンク上のデータ・レートを減少させることを特徴とする、請求項１８に記載の無線通信ネットワーク。
【請求項２０】
前記端末と前記基地局との間の前記エア・インタフェースが広帯域符号分割多元接続（ＷＣＤＭＡ）であることを特徴とする、請求項１２に記載の無線通信ネットワーク。
【請求項２１】
前記複数の端末の前記少なくとも１つが、アップリンク上のデータ・レートを制限する２つのしきい値を備え、前記端末によって送信されるレート要求が前記２つのしきい値のうちの１つに制限されることを特徴とする、請求項１２に記載の無線通信ネットワーク。
【請求項２２】
前記複数の端末の各々がアップリンク上のデータ・レートを制限する前記２つのしきい値を備え、前記基地局が、前記複数の端末のいずれか１つからのレート要求に応答して前記複数の端末の各々からアップリンク上のデータ・レートを制御することを特徴とする、請求項２１に記載の無線通信ネットワーク。
【請求項２３】
無線ダウンリンク上で端末にデータを送信し、無線アップリンク上で端末からデータを受信する基地局を含む無線通信ネットワークにおいて、
無線アップリンク上のデータ・レートを変更するよう要求するレート要求を前記端末から前記基地局に送信するステップと、
前記端末からの前記レート要求に応答して、前記端末が無線アップリンク上のデータ・レートを変更できるか否かを示すレート許可を前記端末に送信するステップと、を含むことを特徴とする方法。
【請求項２４】
前記端末が無線アップリンクでデータと共に前記レート要求を送信することを特徴とする、請求項２３に記載の方法。
【請求項２５】
前記基地局が前記無線ダウンリンクで前記レート許可を送信することを特徴とする、請求項２３に記載の方法。
【請求項２６】
前記基地局によって送信される前記レート許可が前記基地局で受信する干渉状態に依存することを特徴とする、請求項２３に記載の方法。
【請求項２７】
前記基地局によって送信される前記レート許可が、前記基地局で導出および／または測定されるトラフィック・メトリクスに依存することを特徴とする、請求項２３に記載の方法。
【請求項２８】
前記基地局によって送信される前記レート許可が、基地局制御装置から前記基地局に送信されるトラフィック・メトリクスに依存することを特徴とする、請求項２３に記載の方法。
【請求項２９】
前記端末と前記基地局との間のエア・インタフェースが広帯域符号分割多元接続（ＷＣＤＭＡ）であることを特徴とする、請求項２３に記載の方法。
【請求項３０】
前記端末が無線アップリンク上のデータ・レートを制限する２つのしきい値を備え、前記端末によって送信されるレート要求が２つのしきい値のうちの１つに制限されることを特徴とする、請求項２３に記載の方法。
【請求項３１】
前記レート要求が前記無線アップリンク上のデータ・レートを増加させるよう要求し、前記基地局から受信するレート許可であって、前記無線アップリンク上の前記データ・レートが前記レート要求で要求されるように増加できることを示すレート許可に応答して、前記レート許可に従って前記無線アップリンク上の前記データ・レートを増加させることを特徴とする、請求項２３に記載の方法。
【請求項３２】
前記端末が前記基地局からの別のレート許可なしに前記無線アップリンク上のデータ・レートを減少させることができることを特徴とする、請求項３１に記載の方法。
【発明の詳細な説明】
【技術分野】
【０００１】
本発明は、概して、無線通信の分野に係り、より詳細には、本発明は、無線通信ネットワークの端末と基地局との間のエア・インタフェース内のアップリンク拡張に関する。
【背景技術】
【０００２】
無線通信ネットワークの端末と基地局との間のエア・インタフェースは、ネットワークの達成可能なレベルの性能に直接関連する。物理層はエア・インタフェースの基本的な容量限界を定義するので、物理層内の種々の符号化およびダイバーシティ・ソリューションを備えた十分なリンク性能のための低い信号対干渉雑音比（ＳＩＲ）要件を有することが必須である。
【０００３】
第３世代パートナーシッププロジェクトの合同標準化プロジェクト（ｗｗｗ．３ｇｐｐ．ｏｒｇ）のリリース’９９またはそれ以降のリリースによって規定されるような第３世代無線通信システムでは、物理層は音声などの単一のサービスに関して設計されていない。マルチメディア・サービスの動的スケジューリングを可能にするには、さらに柔軟性が必要である。リリース’９９では、３ＧＰＰ  ＴＳ  ２５．２１１−２５．２１５は物理層について記載し、３ＧＰＰ  ＴＳ  ２５．３３１は無線リソース制御プロトコルについて記載し、３ＧＰＰ  ＴＳ  ２５．１３３は無線リソース管理の要件について記載している。その内容は、参照により全体を本明細書に組み込むものとする。
【０００４】
図１は、リリース’９９の全ての無線に関する機能を扱う無線アクセス・ネットワークのアーキテクチャを示す。ユーザ装置（ＵＥ）１１は、無線インタフェースを介してそれぞれの第１のノードＢ２１−１に接続されている。第１のノードＢ２１−１は、ｌｕｂと無線インタフェースとの間のデータ・フローを変換し、またある程度まで無線リソース管理に参加する。第１のノードＢ２１−１および第２のノードＢ２１−２は、ｌｕｂインタフェースを介して共に同じ無線ネットワーク制御装置（ＲＮＣ）３１−１に接続され、同じ無線ソース管理を共有する。ＲＮＣ３１−１はそのドメイン内、すなわち、第１のノードＢ２１−１および第２のノードＢ２１−２内の無線リソースの制御を行う。図１にはノードＢは２つしか示していないが、１つのＲＮＣには普通３つ以上のノードＢが接続されている。ノードＢの各グループおよび１つのＲＮＣは無線ネットワーク・サブシステム（ＲＮＳ）を構成し、図１では２つしか示していないが、無線アクセス・ネットワーク内には、普通、多数のＲＮＳが存在する。集合として見ると、ＲＮＣは、無線アクセス・ネットワークがｌｕインタフェースを介してコア・ネットワーク（図示せず）に提供する全てのサービス（例えば、ＵＥ１１への接続管理などを含む）のサービス・アクセス・ポイントである。図１に示す要素は論理レベルで定義されているが、類似の物理構成を有することができる。
【０００５】
リリース’９９では、ＵＥ１１からノードＢ２１へのアップリンク上の送信のスケジューリングにはほとんど柔軟性がない。物理層レート・シグナリングはノードＢ２１で終了する。ＲＲＣは種々のシグナリング・フォーマットを用いてＴＦＣＳを制限し、ＵＥ１１は許可されたＴＦＣＳしか使用することができない。この結果、種々の測定値とＵＥ  ＲＲＣレポートが、全てミリ秒単位で測定されるフレーム構造上でＳＲＮＣに送信され、処理され、ＵＥ１１に送信されるという不利益が生じる。
【０００６】
リリース’９９では、指定起動時間を備えた無線リソース制御（ＲＲＣ）の否定応答シグナリング・モードを用いてアップリンク内でスケジューリングを変更することができる。あるいは、ＲＲＣは種々のシグナリング・フォーマットを用いてトランスポート・フォーマット組み合わせ制御を管理し制限する能力を含む。トランスポート・フォーマット組み合わせ制御は、各ＴＴＩ内の専用のトランスポート・チャネル上でトランスペアレント・モードで送信できる。トランスポート・フォーマット組み合わせは、許可／不許可組み合わせのリスト、または完全にオープンな一組の組み合わせでインデックスできる。新しい組み合わせが前提とされる前のＵＥ内の処理によってシグナリング・メッセージが受信された後で経過しなければならない最大時間を含む仕様の例については、３ＧＰＰ  ＴＳ  ２５．３３１  ｖ３．８．０、第１３．５節を参照されたい。
【発明の開示】
【発明が解決しようとする課題】
【０００７】
ＴＦＣＳを制限するＲＲＣの能力を使用するこの方法は、ネットワーク要素間で送信するデータ量などのネットワーク内の変化になかなか適応できない場合がある。また、この方法はＲＮＣによって制御されるＲＲＣに依存するので、処理のボトルネックおよびＲＮＣの性能に影響するその他の要因に左右される。
【課題を解決するための手段】
【０００８】
本発明の好ましい実施形態の第１の態様では、無線通信ネットワークは、複数の端末と、無線ダウンリンク上で前記複数の端末の各々にデータを送信し、無線アップリンク上で前記複数の端末の各々からデータを受信する少なくとも１つの基地局とを備える。前記複数の端末の少なくとも１つは、無線アップリンク上のデータ・レートを変更することを要求するレート要求を前記基地局に送信する。前記基地局は、前記複数の端末の前記少なくとも１つからの前記レート要求に応答して、前記複数の端末の前記少なくとも１つにレート許可を送信し、前記レート許可は前記複数の端末の前記少なくとも１つが無線アップリンク上のデータ・レートを変更できるか否かを示す。
【０００９】
好ましい実施形態の第２の態様では、本発明は、信頼できるデータ・レート制御方法と、無線ダウンリンクで基地局から端末へのデータを送信し、無線アップリンクで端末から基地局へのデータを受信する無線アクセス・ネットワークを含む無線通信ネットワークとを提供する。本発明の好ましい実施形態のこの態様では、端末は、前記無線アップリンク上のデータ・レートの限度を規定する２つのしきい値であって、前記２つのしきい値のうちの第１のしきい値が前記端末から要求できる前記データ・レートの制限を規定し、前記２つのしきい値のうちの第２のしきい値が前記基地局から要求できる前記データ・レートの制限を規定するしきい値を受信する。端末は、無線アップリンク上で端末から基地局にレート要求を送信し、前記レート要求は前記２つのしきい値の前記第１のしきい値の限度内で前記無線アップリンク上のデータ・レートを増加または減少させることを要求する。端末は、前記基地局から受信するレート許可であって、前記無線アップリンク上の前記データ・レートを前記レート要求で要求されるように増加または減少させるか否かを示すレート許可に応答して、前記レート許可に従って前記無線アップリンク上のデータ・レートを増加または減少させる。
【００１０】
本発明の好ましい実施形態の別の態様では、無線ダウンリンク上で端末にデータを送信し、無線アップリンク上で端末からデータを受信する基地局を含む無線通信ネットワークはある方法を実行する。この方法は、無線アップリンク上のデータ・レートを増加または減少させることを要求するレート要求を前記端末から前記基地局に送信するステップと、前記端末からの前記レート要求に応答して、前記端末が無線アップリンク上のデータ・レートを増加または減少させることができるか否かを示すレート許可を前記端末に送信するステップとを含む。
添付の図面を参照しながら好ましい実施形態について以下に説明する。
各図面を通して、類似の参照番号は類似の部品を識別する。
【発明を実施するための最良の形態】
【００１１】
本明細書に記載する具体的な実施形態は例であって、本発明の好ましい実施形態を例示するものに過ぎない。当業者であれば、以下の図を参照する説明から、本発明の他の種々の実施形態を実施する方法を理解することができるだろう。
【００１２】
さらに、各要素はブロック図の形に示しているが、これは本発明を分かりにくくしないためであり、またそのようなブロック図の構成の実施に関する具体例が本発明の実施形態が実施されるネットワーク環境に大幅に依存するという観点に基づく。すなわち、当業者であれば、具体例を十分に理解することができるだろう。本発明の好ましい実施形態は、図１の３ＧＰＰリリース’９９の例示のシステム・ブロック図に関連して記述しているが、本発明の実施形態は、これに限定されないが、以降の３ＧＰＰ仕様のリリースを含む他の無線通信ネットワークでも実施することができる。
【００１３】
本発明の実施形態を説明するために具体例（例えば、インタフェース）について記載しているが、本発明はこれらの具体例なしでも実施することができることを当業者なら理解することができるだろう。最後に、ハードウェアおよびソフトウェア・プログラミングの任意の組み合わせを用いて本発明の実施形態を実施でき、またその実施形態はハードウェアおよびソフトウェア・プログラミングのいかなる特定の組み合わせにも限定されないことは明らかであろう。
【００１４】
当業者であれば周知のように、データは従来、ｌｕｂインタフェース経由でＲＮＣから送信される無線リソースの構成および予約を含む無線リソース制御シグナリングに従ってエア・インタフェース上で送信されていた。ノードＢ２１は、チャネル符号化およびインタリービング、レート適応、スプレディングなどのＬ１エア・インタフェース処理を実行する。「レート適応」という用語は送信するデータビット数がフレーム上で使用可能なビット数に適合されるレート一致を指し、本発明を指すものではない。例えば、レート一致の詳細については、２００１年にＪｏｈｎ  Ｗｉｌｅｙ  ＆  Ｓｏｎｓより刊行された、Ｈａｒｒｉ  ＨｏｌｍａおよびＡｎｔｔｉ  Ｔｏａｋａｌａの、「ＷＣＤＭＡ  ｆｏｒ  ＵＭＴＳ（改訂版）」という名称の書籍の第６．４．２節を参照されたい。また、ノードＢ２１は、内部ループ電源制御などのいくつかの基本無線リソース管理機能を実行する。ＲＮＣ３１はＵＥ１１でＲＲＣシグナリング・プロトコルを終了させる。ＲＮＣ３１は無線インタフェースとの間で送受信するデータのＬ２エア・インタフェース処理を実行する。無線アクセス・ベアラ（ＲＡＢ）パラメータのエア・インタフェース・トランスポート・チャネル・パラメータへのマッピング、ハンドオーバ、および外部ループ電源制御などの無線リソース管理機能は、ＲＮＣ３１内で実行される。
【００１５】
以下に詳述するように、本発明の好ましい実施形態は、ＳＲＮＣ３１よりもエア・インタフェースに近いノードＢ２１が制限されてはいるがより高速のアップリンク・スケジューリング動作を実行できる２つのしきい値レート制御を有する。２つのそれぞれのネットワーク要素の２つのしきい値によって、アップリンク上のデータの高速の分散スケジューリングが可能になる。本発明の好ましい実施形態は、エア・インタフェース上でスケジューリングを実行するいかなる特定のシグナリング方法にも限定されない。アップリンク・シグナリング方法の一例が、「Ｍｅｔｈｏｄ  ａｎｄ  Ａｐｐａｒａｔｕｓ  ｆｏｒ  Ｄｉｓｔｒｉｂｕｔｅｄ  Ｓｉｇｎａｌｉｎｇ  ｆｏｒ  Ｕｐｌｉｎｋ  Ｒａｔｅ  Ｃｏｎｔｒｏｌ」と題する、本出願の譲受人であるノキア・コーポレーション（Ｎｏｋｉａ  Ｃｏｒｐｏｒａｔｉｏｎ）に一般譲渡された、２００２年５月２４日出願の米国特許出願第１０／１５６，７５１号に記載されている。上記出願の内容は、参照により全体を本明細書に組み込むものとする。
【００１６】
本発明の好ましい実施形態として、２つのしきい値はトランスポート・フォーマット組み合わせ制御（ＴＦＣＣ）で使用される組み合わせのセットに関して設定される。３ＧＰＰリリース’９９では、トランスポート・フォーマット組み合わせ制御は、３ＧＰＰ  ＴＳ  ２５．３３１  ｖ３．８．０（２００１−０９）、８．２．５節に規定され、データ・レートは種々のトランスポート・フォーマット組み合わせのセットに対応する。特に、好ましい実施形態では、ＲＮＣ３１は２つのトランスポート・フォーマット組み合わせセット（ＴＦＣＳ）しきい値を規定する。ＵＥしきい値１００に加えて、ノードＢしきい値２００も規定される。ノードＢ２１とＵＥ１１の両方はこれらのしきい値を通知される。ＵＥ１１は、普通ＵＥしきい値１００に制限されるが、ノードＢ２１の指示でノードＢしきい値２００を使用することができる。ＵＥしきい値１００とノードＢしきい値２００の値はそれ自体制限されない。実際、ノードＢしきい値２００または両方のしきい値は全ＴＦＣＳ範囲を含むことができる。
【００１７】
図２はＴＦＣＳしきい値を示すグラフである。ノードＢ２１とＵＥ１１との間の別々のＲＲＣシグナリングがＴＦＣＳの選択とＵＥしきい値１００の上の空間とノードＢしきい値２００の下の空間の使用を制御する。ＵＥ１１はＵＥしきい値１００より下のセット内の任意の組み合わせから自由にそのトランスポート・フォーマット組み合わせ（ＴＦＣ）を選択することができる。ＵＥしきい値１００とノードＢしきい値２００との間で、ノードＢ２１はＵＥ１１に課された制限を制御できる。したがって、ノードＢ２１はＵＥ１１のアップリンク・データ・レートを選択的にスケジューリングできる。
【００１８】
ＵＥ１１は、例えば、１６ｋｂｐｓ乃至２Ｍｂｐｓの無線アップリンクの可能なデータ・レート（ＴＦＣＳ）の全範囲を認識している。ＵＥしきい値１００は、使用できる（ＲＮＣからの適当なシグナリングによって）最大データ・レート、例えば、３８４ｋｂｐｓを指定する。ノードＢしきい値２００は、例えば、２Ｍｂｐｓに設定でき、ＵＥ１１に対して３８４ｋｂｐｓを超えるデータ・レートの変化についてノードＢ２１にレート要求を送信するように要求できる。この要求はそのような全てのデータ・レートの変化（増加または減少）またはデータ・レートの増加について実行できる。ノードＢ２１およびＵＥ１１はＵＥしきい値１００のみ、またはＵＥしきい値１００とノードＢしきい値２００の両方を受信できる。特に、ノードＢ２１は両方のしきい値を受信できるが、ＵＥ１１はＵＥしきい値１００しか受信できない。
【００１９】
図３は、本発明の好ましい実施形態で使用されるデータ・レート制御の概念を示す。図３の下部は、ＵＥ１１が送信するレート要求の値と、ＴＦＣＩ値が示すトランスポート・フォーマット組み合わせの値と、無線アップリンク上のデータとを示す。図３の上部は、レート要求に応じてノードＢが送信するレート許可信号の値を示す。
【００２０】
好ましい方法のイベント・シーケンスは以下の通りである。最初に、ＵＥ１１はレート要求（増加または減少）と共にそのデータを送信する。ノードＢ２１はＵＥ１１からデータおよびレート要求（ＲＲ）を受信する。次に、ノードＢ２１は、ＵＥ１１に、ＵＥ１１が、受信したインタフェース状態、またはノードＢ２１で導出／測定される、および／またはＲＲＣからノードＢ２１に送信されるその他の適当なトラフィック・メトリクスに応じて、現在のデータ・レートを増加させるか、減少させるか、変更しないかを示す表示を含むレート許可を送信する。一実施形態では、ＵＥしきい値１００によって規定されるデータ・レート（上記例では３８４ｋｂｐｓ）を下回るデータ・レートを使用している場合、ＵＥ１１は許容データ・レートの範囲に戻ったと考えてよい。そのような場合、無線アップリンク上のデータ・レートを減少させるレート要求は不要である。
【００２１】
必ずしも必要ではないが、好ましくは、増加／減少レート要求はＴＴＩ期間ごとに含まれる。必ずしも必要ではないが、好ましくは、増加／減少／維持レート許可はＴＴＩ期間ごとに提供される。あるいは、レート要求は、例えば、ＵＥ１１の送信バッファが一定の限度を超えた時など、ある種のイベントがＵＥ１１内で発生した時に送信できる。
【００２２】
図４は、２つのしきい値の概念を使用する複数のＵＥがノードＢ２１によって制御されるシナリオを示す。この例では、ノードＢ２１は、周期的な間隔で第１のＵＥのデータ・レート（増加している）および第２のＵＥのデータ・レート（減少している）を制御する。特に、ノードＢ２１は、ＲＮＣ３１の制御下で一次的にそれに接続されていた各ＵＥ間にリソースをゆっくりと再分散する。変化はＲＲＭが許容する程度に緩慢である。一次的な接続は、ネットワーク内の１つのノードＢのみが１つのＵＥを制御できるように確立される。
【００２３】
本発明のこれらの好ましい実施形態は、従来の無線アクセス・ネットワーク・アーキテクチャよりもエア・インタフェースに近い終端装置を提供する。またこれらの実施形態は、ノードＢ２１とＵＥ１１との間のＬ１／Ｌ２のより高速の処理という利点を提供する。これは、時間間隔は任意の特定のネットワーク構成によって左右されるが、ＵＥ１１とノードＢ２１との間の通信フレームの時間間隔は、通常、１０ミリ秒単位で測定されるためである。したがって、アップリンク上のデータ・スケジューリングが、ＵＥしきい値１００とノードＢしきい値２００との間のスペース内で調整される速度は、調整がＲＮＣ３１からのシグナリングに依存する時に達成できる速度よりも桁違いに大きい。
【００２４】
ＵＥ１１への２つのしきい値のシグナリングは、ＲＲＣプロトコルへの些細な追加であり、その詳細は本発明に必須ではない。１つの実施形態は、オプションの追加のパラメータまたは情報要素としてのノードＢしきい値２００を、ＲＲＣシグナリングでトランスポート・フォーマット組み合わせ制御（ＴＦＣＣ）メッセージに追加することである。
【００２５】
同様に、ＵＥしきい値１００とノードＢしきい値２００のノードＢ２１へのシグナリングは、詳細が必須ではないノードＢアプリケーション・プロトコル（ＮＢＡＰ）の拡張機能である。もちろん、２つのしきい値のノードＢ２１への通知は任意の数の異なる方法で実行できる。
【００２６】
本発明について好ましい実施形態に関して説明してきたが、本発明を種々様々に修正することができることを理解されたい。そのような修正は全て添付の特許請求の範囲内に含まれる。
【図面の簡単な説明】
【００２７】
【図１】３ＧＰＰリリース’９９の無線アクセス・ネットワーク内のユーザ装置のアップリンク接続を示すブロック図である。
【図２】本発明の好ましい実施形態のトランスポート・フォーマットの組み合わせのセットに適用される２つのＲＲＣ制御しきい値の一例を示すグラフである。
【図３】本発明の好ましい実施形態で使用されるデータ・レート制御の概念を示すグラフである。
【図４】本発明の好ましい実施形態の複数のユーザ装置のレート制御の一例を示すグラフである。
【図１】
2005530425.tif 000002
【図２】
2005530425.tif 000003
【図３】
2005530425.tif 000004
【図４】
2005530425.tif 000005
【手続補正書】
【提出日】平成17年3月24日(2005.3.24)
【手続補正１】
【補正対象書類名】特許請求の範囲
【補正対象項目名】全文
【補正方法】変更
【補正の内容】
【特許請求の範囲】
【請求項１】
無線ダウンリンクで基地局から端末へデータを送信し、無線アップリンクで前記端末から前記基地局へデータを送信する無線アクセス・ネットワークを含む無線通信システムにおいて、
前記端末が前記基地局からの別のレート許可なしに使用できる前記無線アップリンク上のデータ・レートの上限を指定する第１のしきい値を受信し、
無線アップリンク上で、前記無線アップリンク上のデータ・レートを第２のしきい値の限度内で変更することを要求するレート要求を前記端末から前記基地局に送信し、
前記基地局から受信したレート許可であって、前記無線アップリンク上の前記データ・レートが前記レート要求で要求されるように変更できるか否かを示す前記レート許可に応答して、前記レート許可に従って前記無線アップリンク上のデータ・レートを変更するように適合されたことを特徴とする端末。
【請求項２】
前記端末が無線アップリンクでデータと共に前記レート要求を送信することを特徴とする、請求項１に記載の端末。
【請求項３】
前記端末が前記無線ダウンリンクで前記基地局から前記レート許可を受信することを特徴とする、請求項１に記載の端末。
【請求項４】
前記端末が周期的に前記レート要求を送信することを特徴とする、請求項１に記載の端末。
【請求項５】
前記端末がＴＴＩごとに前記レート要求を送信することを特徴とする、請求項４に記載の端末。
【請求項６】
前記端末が、前記端末内にイベント発生があると前記レート要求を送信することを特徴とする、請求項１に記載の端末。
【請求項７】
前記端末の送信バッファが指定の限度を超えると前記端末が前記レート要求を送信することを特徴とする、請求項６に記載の端末。
【請求項８】
前記レート要求が、前記無線アップリンク上のデータ・レートを増加させるよう要求し、前記基地局から受信したレート許可であって、前記無線アップリンク上の前記データ・レートが前記レート要求で要求されるように増加できることを示すレート許可に応答して、前記レート許可に従って前記無線アップリンク上の前記データ・レートを増加させることを特徴とする、請求項１に記載の端末。
【請求項９】
前記端末が、前記基地局からの別のレート許可なしに、前記第１のしきい値によって規定される前記無線アップリンク上のデータ・レートの前記上限より大きいデータ・レートから、前記無線アップリンク上のデータ・レートを減少させることができることを特徴とする、請求項８に記載の端末。
【請求項１０】
前記端末が前記基地局からＲＲＣシグナリングでパラメータまたは他の情報を受信し、前記パラメータまたは他の情報が前記第１のしきい値を示すことを特徴とする、請求項１に記載の端末。
【請求項１１】
前記端末と前記基地局との間の前記エア・インタフェースが広帯域符号分割多元接続（ＷＣＤＭＡ）であることを特徴とする、請求項１に記載の端末。
【請求項１２】
無線通信ネットワークであって、
複数の端末と、
少なくとも１つの基地局と、を備え、
前記少なくとも１つの基地局は、前記少なくとも１つの基地局からの別のレート許可なしに、第１のしきい値より小さいデータ・レートで、無線ダウンリンク上で前記複数の端末の各々にデータを送信し、無線アップリンク上で前記複数の端末の各々からデータを受信し、
前記複数の端末の少なくとも１つは前記基地局にレート要求を送信し、前記レート要求は前記無線アップリンク上のデータ・レートを第２のしきい値の限度内で変更することを要求し、
前記基地局は、前記複数の端末の前記少なくとも１つからの前記レート要求に応答して、前記複数の端末の前記少なくとも１つにレート許可を送信し、前記レート許可が、前記複数の端末の前記少なくとも１つが前記無線アップリンク上のデータ・レートを変更できるか否かを示すことを特徴とする無線通信ネットワーク。
【請求項１３】
前記複数の端末の前記少なくとも１つが前記無線アップリンクでデータと共にレート要求を送信することを特徴とする、請求項１２に記載の無線通信ネットワーク。
【請求項１４】
前記基地局が前記無線ダウンリンクで前記レート許可を送信することを特徴とする、請求項１２に記載の無線通信ネットワーク。
【請求項１５】
前記基地局によって送信される前記レート許可が前記基地局で受信する干渉状態に依存することを特徴とする、請求項１２に記載の無線通信ネットワーク。
【請求項１６】
前記基地局によって送信される前記レート許可が、基地局で導出および／または測定されるトラフィック・メトリクスに依存することを特徴とする、請求項１２に記載の無線通信ネットワーク。
【請求項１７】
前記ネットワークが基地局制御装置をさらに備え、前記基地局によって送信される前記レート許可が、前記基地局制御装置から前記基地局に送信されるトラフィック・メトリクスに依存することを特徴とする、請求項１２に記載の無線通信ネットワーク。
【請求項１８】
前記レート要求が前記無線アップリンク上のデータ・レートを増加させるよう要求し、前記基地局から受信するレート許可に応答して、前記無線アップリンク上の前記データ・レートが前記レート要求で要求されるように増加できることを示す前記レート許可が、前記レート許可に従って前記無線アップリンク上の前記データ・レートを増加させることを特徴とする、請求項１２に記載の無線通信ネットワーク。
【請求項１９】
前記基地局からの別のレート許可なしに、前記端末が前記無線アップリンク上のデータ・レートを減少させることを特徴とする、請求項１８に記載の無線通信ネットワーク。
【請求項２０】
前記端末と前記基地局との間の前記エア・インタフェースが広帯域符号分割多元接続（ＷＣＤＭＡ）であることを特徴とする、請求項１２に記載の無線通信ネットワーク。
【請求項２１】
前記複数の端末の前記少なくとも１つが、前記アップリンク上のデータ・レートを制限する前記第１および第２のしきい値を備え、前記端末によって送信される前記レート要求が前記第２のしきい値に制限されることを特徴とする、請求項１２に記載の無線通信ネットワーク。
【請求項２２】
前記複数の端末の各々が前記アップリンク上のデータ・レートを制限する前記第１および第２のしきい値を備え、前記基地局が、前記複数の端末のいずれか１つからのレート要求に応答して前記複数の端末の各々からアップリンク上のデータ・レートを制御することを特徴とする、請求項２１に記載の無線通信ネットワーク。
【請求項２３】
無線ダウンリンク上で端末にデータを送信し、無線アップリンク上で端末からデータを受信する基地局を含む無線通信ネットワークにおいて、
無線アップリンク上のデータ・レートを、前記基地局からの別のレート許可なしに適用可能な第１のしきい値より小さいデータ・レートから、第２のしきい値の限度内のデータ・レートに変更するよう要求するレート要求を前記端末から前記基地局に送信するステップと、
前記端末からの前記レート要求に応答して、前記端末が無線アップリンク上のデータ・レートを変更できるか否かを示すレート許可を前記端末に送信するステップと、を含むことを特徴とする方法。
【請求項２４】
前記端末が無線アップリンクでデータと共に前記レート要求を送信することを特徴とする、請求項２３に記載の方法。
【請求項２５】
前記基地局が前記無線ダウンリンクで前記レート許可を送信することを特徴とする、請求項２３に記載の方法。
【請求項２６】
前記基地局によって送信される前記レート許可が前記基地局で受信する干渉状態に依存することを特徴とする、請求項２３に記載の方法。
【請求項２７】
前記基地局によって送信される前記レート許可が、前記基地局で導出および／または測定されるトラフィック・メトリクスに依存することを特徴とする、請求項２３に記載の方法。
【請求項２８】
前記基地局によって送信される前記レート許可が、基地局制御装置から前記基地局に送信されるトラフィック・メトリクスに依存することを特徴とする、請求項２３に記載の方法。
【請求項２９】
前記端末と前記基地局との間のエア・インタフェースが広帯域符号分割多元接続（ＷＣＤＭＡ）であることを特徴とする、請求項２３に記載の方法。
【請求項３０】
前記端末が無線アップリンク上のデータ・レートを制限する前記第１および第２のしきい値を備え、前記端末によって送信されるレート要求が前記第２のしきい値に制限されることを特徴とする、請求項２３に記載の方法。
【請求項３１】
前記レート要求が前記無線アップリンク上のデータ・レートを増加させるよう要求し、前記基地局から受信するレート許可であって、前記無線アップリンク上の前記データ・レートが前記レート要求で要求されるように増加できることを示すレート許可に応答して、前記レート許可に従って前記無線アップリンク上の前記データ・レートを増加させることを特徴とする、請求項２３に記載の方法。
【請求項３２】
前記端末が前記基地局からの別のレート許可なしに前記無線アップリンク上のデータ・レートを減少させることができることを特徴とする、請求項３１に記載の方法。
【請求項３３】
無線通信ネットワークにおける基地局であって、
無線ダウンリンクで端末にデータを送信し、
無線アップリンクで前記端末からデータを受信し、
無線アップリンク上のデータ・レートを、前記基地局から別のレート許可なしに適用可能な第１のしきい値より小さいデータ・レートから第２のしきい値の限度内のデータ・レートに変更するよう要求するレート要求を前記端末から受信し、
前記端末からの前記レート要求に応答して、前記端末が前記無線アップリンク上のデータ・レートを変更できるか否かを示すレート許可を前記端末に送信するように適合されたことを特徴とする基地局。
【請求項３４】
前記基地局が無線アップリンクでデータと共に前記レート要求を受信することを特徴とする、請求項３３に記載の基地局。
【請求項３５】
前記基地局が前記無線ダウンリンクで前記レート許可を送信することを特徴とする、請求項３３に記載の基地局。
【請求項３６】
前記基地局によって送信される前記レート許可が前記基地局で受信する干渉状態に依存することを特徴とする、請求項３３に記載の基地局。
【請求項３７】
前記基地局によって送信される前記レート許可が、前記基地局で導出および／または測定されるトラフィック・メトリクスに依存することを特徴とする、請求項３３に記載の基地局。
【請求項３８】
前記基地局によって送信される前記レート許可が、基地局制御装置から前記基地局に送信されるトラフィック・メトリクスに依存することを特徴とする、請求項３３に記載の基地局。
【請求項３９】
前記端末と前記基地局との間のエア・インタフェースが広帯域符号分割多元接続（ＷＣＤＭＡ）であることを特徴とする、請求項３３に記載の基地局。
【請求項４０】
前記基地局が無線アップリンク上のデータ・レートを制限する前記第１および第２のしきい値を備え、前記端末によって送信される前記レート要求が前記第２のしきい値に制限されることを特徴とする、請求項３３に記載の基地局。
【請求項４１】
前記レート要求が前記無線アップリンク上のデータ・レートを増加させるよう要求し、前記基地局から受信するレート許可であって、前記無線アップリンク上の前記データ・レートが前記レート要求で要求されるように増加できることを示すレート許可に応答して、前記レート許可に従って前記無線アップリンク上の前記データ・レートを増加させることを特徴とする、請求項３３に記載の基地局。
【国際調査報告】
2005530425.tif 000006